(57)【特許請求の範囲】
【請求項１】
飲料用カップの開口部を密封しているシールを切り裂くカップシール用カッターであって、切り刃が上方を向いたカッター体と、飲料用カップＰの開口部を挿入する挿入口を備えた安全プレートとを設け、挿入口の内側にカッター体を配置してカッター体の上部側に安全プレートを固定すると共に、これらカッター体と安全プレートとを飲み残し投入口に装着し、安全プレート内に挿入した開口部のシールをカッター体に押し当てると該シールが切り裂かれて飲料用カップ内の残留物が飲み残し投入口に排出するように構成したことを特徴とするカップシール用カッター。
【請求項２】
前記カッター体は、帯板状の長手一側縁に前記切り刃が形成された複数のカッターを備え、該カッターを放射状に配置すると共に、該カッターの中心位置に最も高くなる中心刃を設け、該中心刃から放射状に沿って次第に低くなる放射刃を設けた請求項１記載のカップシール用カッター。
【請求項３】
前記カッター体は補助カッターを備え、該補助カッターは、前記カッターの間に放射状に配置され、前記カッターの前記中心刃より外側の位置に設けた中心刃と該中心刃から次第に低くなるように設けた放射刃とを有する請求項２記載のカップシール用カッター。
【請求項４】
前記飲み残し投入口の内側面に着脱自在に嵌合する嵌合凹部と、前記飲み残し投入口の開口縁上部に係合する係合片とを有するホルダーを設け、該ホルダー３０の嵌合凹部３１にカッター体１０を固定し、該カッター体１０の上端部に安全プレート２０を固定した請求項１記載のカップシール用カッター。
【発明の詳細な説明】
【技術分野】
【０００１】
本発明は、カップのシールを切り裂いてカップ内の飲み残しを迅速に排出することができるカップシール用カッターに関する。
【背景技術】
【０００２】
シールされているカップ入りドリンクとして、例えばタピオカ入りドリンクが知られている。このタピオカとは、キャッサバという芋から製造したでんぷんを加熱して球状に加工した食材である。このタピオカを紅茶などのドリンクと共に飲料用カップに入れて飲むドリンクをタピオカ入りドリンクとして広く知られている。
【０００３】
タピオカ入りドリンクのカップは、一般に、歩きながらでも飲めるように、カップの開口部をシールで密封しているものがある。そして、タピオカの粒よりも太いストローでこのシールを突き刺してドリンクと共にタピオカを吸い込むように提供されている。
【０００４】
このタピオカ入りドリンクには、豊富な量のタピオカが投入されているので、ドリンクを飲み終えた後に、多くのタピオカがカップ内に残されることが多い。そのため、飲み終わったカップを店内のダストシュート等に分別廃棄するには、まず、カップ内に残ったタピオカや氷を所定の投入口に廃棄した後、空になったカップを容器用のダストボックスに投入することになる。
【０００５】
ところが、シールで密封しているタピオカ入りドリンクでは、カップの分別廃棄に思わぬ手間を要している。すなわち、カップを密封しているシールは、ドリンクがこぼれないように強力にシールされていることによる。しかも、シールを剥がすための手掛かりとなるタブ等の突片も形成されていない。そのため、ストローや手指でシールを強制的に切り裂いて残ったタピオカを排出するなど、残ったタピオカの排出作業に思わぬ手間を要しているのが現状である。
【０００６】
従来、この種のシールを開封するためにカッター等の用具が種々提案されている。例えば、特許文献１に記載のカップ用開封器具は、シール蓋を切り裂く刃部に柄を設けたもので、作業者はこの柄を持ち、容器周縁部に沿ってシール蓋を刃部で切り破る構成である。
【０００７】
一方、特許文献２に記載のカップシール剥がし機は、爪切り状の挟持部で、カップシールの開封タブをつまんで開口部から剥がすように構成したものである。
【先行技術文献】
【特許文献】
【０００８】
【特許文献１】実公昭６１-７１９３号公報
【特許文献２】実用新案登録第３１９２６８６号公報
【発明の概要】
【発明が解決しようとする課題】
【０００９】
ところが、特許文献１のように、容器周縁部に沿ってシール蓋を刃部で切り破る構成では、刃部の扱いに厳重な注意が必要になり、安全性の課題が残る。また、作業者の習熟度によって、作業効率が大きく変動する不都合もある。
【００１０】
一方、特許文献２のごとく、挟持部で、カップシールの開封タブをつまんでカップの開口部から剥がすものでは、安全性の課題は解決しても、開封タブが設けられていないタピオカ入りドリンクのシールを剥がす作業は困難になる。
【００１１】
しかも、タピオカドリンク等を提供するドリンクバーなどでは、容器の廃棄をセルフサービスで行うことが多い。そのため、利用者自身が店内に備えられているダストシュートに分別して廃棄するシステムになっている。したがって、特許文献１、２のようなシール開封用の刃の付いた器具を使用者が利用することは、安全性の面や作業効率からも決して好ましいものではない。
【００１２】
そこで本発明は、上述の課題を解消すべく創出されたもので、極めて簡単な操作によってシールを切り裂くと同時に、カップ内の残留物を確実に排出することが可能なカップシール用カッターの提供を目的とするものである。
【課題を解決するための手段】
【００１３】
上述の目的を達成すべく本発明における第１の手段は、飲料用カップＰの開口部を密封しているシールＳを切り裂くカップシール用カッターであって、切り刃が上方を向いたカッター体１０と、飲料用カップＰの開口部を挿入する挿入口２１を備えた安全プレート２０とを設け、挿入口２１の内側にカッター体１０を配置してカッター体１０の上部側に安全プレート２０を固定すると共に、これらカッター体１０と安全プレート２０とを飲み残し投入口Ｔ１に装着し、安全プレート２０内に挿入した開口部のシールＳをカッター体１０に押し当てると該シールＳが切り裂かれて飲料用カップＰ内の残留物が飲み残し投入口Ｔ１に排出するように構成したものである。
【００１４】
第２の手段の前記カッター体１０は、帯板状の長手一側縁に前記切り刃が形成された複数のカッター１１を備え、該カッター１１を放射状に配置すると共に、該カッター１１の中心位置に最も高くなる中心刃１１Ａを設け、該中心刃１１Ａから放射状に沿って次第に低くなる放射刃１１Ｂを設けている。
【００１５】
第３の手段の前記カッター体１０は補助カッター１２を備え、該補助カッター１２は、前記カッター１１の間に放射状に配置され、前記カッター１１の前記中心刃１１Ａより外側の位置に設けた中心刃１２Ａと、該中心刃１２Ａから次第に低くなるように設けた放射刃１２Ｂとを有するものである。
【００１６】
第４の手段は、前記飲み残し投入口Ｔ１の内側面に着脱自在に嵌合する嵌合凹部３１と、前記飲み残し投入口Ｔ１の開口縁上部に係合する係合片３２とを有するホルダー３０を設け、該ホルダー３０の嵌合凹部３１にカッター体１０を固定し、該カッター体１０の上端部に安全プレート２０を固定したものである。
【発明の効果】
【００１７】
本発明の請求項１に記載のごとく、カッター体１０と安全プレート２０とを飲み残し投入口Ｔ１内に装着し、挿入口２１内に挿入した開口部のシールＳをカッター体１０に押し当てると、該シールＳが切り裂かれて飲料用カップＰ内の残留物が飲み残し投入口Ｔ１に排出するように構成したことで、飲み残しのある飲料用カップＰのシールＳを安全プレート２０に合わせて押し込むだけの極めて簡単な操作でシールＳを確実に切り裂くと同時に、飲料用カップＰ内の残留物を同時に排出することができる。
【００１８】
しかも、挿入口２１の内側にカッター体１０を配置してカッター体１０の上部に安全プレート２０を固定しているから、利用者が誤ってカッター１１の刃に触れるのを防止している。
【００１９】
請求項２、３のようなカッター体１０によると、飲料用カップＰのシールＳを広い面積で放射状に切り裂くことが可能になった。この結果、シールＳを切り裂いた飲料用カップＰの中から残留物を確実に排出することができる。
【００２０】
請求項４のごとく、ホルダー３０の嵌合凹部３１にカッター体１０を固定し、該カッター体１０の上端部に安全プレート２０を固定し、該ホルダー３０を飲み残し投入口Ｔ１内に着脱自在に嵌合することで、本発明カッターを既存のダストシュートＴや、任意に形成した飲み残し投入口Ｔ１に着脱自在に装着して使用することが可能になる。
【００２１】
このように本発明によると、極めて簡単な操作によってシールを切り裂くと同時に、カップ内の残留物を確実に排出することが可能になる。
【図面の簡単な説明】
【００２２】
【図１】本発明のカッター体の実施例を示す斜視図である。
【図２】（イ）、（ロ）は、本発明のカッターの実施例を示す側面図である。
【図３】本発明の補助カッターの実施例を示す側面図である。
【図４】本発明カッター体をホルダーに装着した実施例を示す側面図である。
【図５】飲み残し投入口にホルダーごとカッター体を装着した側面図である。
【図６】飲み残し投入口に直接カッター体を装着した側面図で、（イ）、（ロ）はシールを破断する状態を示す工程図である。
【図７】飲料用カップの一例を示す側面図である。
【図８】カッター体で切り裂かれて開口した状態のシールを示す平面図である。
【図９】飲み残し投入口を備えたダストシュートの一例を示す斜視図である。
【発明を実施するための形態】
【００２３】
本発明は、飲料用カップＰの開口部を密封しているシールＳを開封するカッターである。例えば、タピオカ入りドリンクには、豊富な量のタピオカが投入されているので、ドリンクを飲み終えた後に、飲料用カップＰ内にタピオカが残ることが多い（図７参照）。そこで、本発明は、このような残留物を確実に廃棄できるようにするため、飲料後のシールＳを簡単に切り裂くカッター体１０と、このカッター体１０を使用する際の安全性を高める安全プレート２０とを備えている（図１参照）。
【００２４】
すなわち、カッター体１０は、切り刃が上方を向いてシールＳを切り裂く部材であり、一方、安全プレート２０は、飲料用カップＰの開口部を挿入する円形状の挿入口２１を備えた部材である。そして、挿入口２１の内側にカッター体１０を配置してカッター体１０の上部側に安全プレート２０を設置する（図１参照）。図示例では、リング形状を成しているが、挿入口２１を備えるものであれば安全プレート２０の形状は問わない。
【００２５】
さらに、これらのカッター体１０と安全プレート２０とを飲み残し投入口Ｔ１内に装着する（図５、図６参照）。そして、安全プレート２０の挿入口２１内に挿入した開口部のシールＳをカッター体１０に押し当てると、該シールＳが切り裂かれて飲料用カップＰ内の残留物が飲み残し投入口Ｔ１に排出するように構成したものである（図６（ロ）参照）。図示の飲み残し投入口Ｔ１は、既存のダストシュートＴに備えられている飲み残し投入口Ｔ１を示しているが、この飲み残し投入口Ｔ１は図示例に限られるものではない。例えば、飲み残しを収容する容器等の投入口に任意の飲み残し投入口Ｔ１を形成するほか、台所の流し台を利用して飲み残し投入口Ｔ１とすることも可能である。
【００２６】
一方、図示のカッター体１０は、複数のカッター１１が中心位置から水平方向へ放射状に配置され、各カッター１１の切り刃が鉛直上方を向くように配置している（図１参照）。さらに、各カッター１１の中心位置が最も高い位置になるように形成している。この結果、カッター体１０にシールＳを押し当てるとシールＳの中央部から放射状に切り裂かれるものである。
【００２７】
図示例のカッター体１０では、長手一側縁に切り刃が形成された一対の帯板を組み合わせてカッター１１を形成している（図２参照）。すなわち、同図（イ）の帯板に形成した上溝部１１Ｄを、同図（ロ）に形成した下溝部１１Ｅに組み合わせて帯板を交差させることで、四方向に延びるカッター１１を有するカッター体１０が形成される（図１参照）。
【００２８】
さらに、各カッター１１には、カッター体１０の中心位置に形成される中心刃１１Ａと該中心刃１１Ａから次第に低くなり飲料用カップＰの開口内周囲縁に至る放射刃１１Ｂとを形成している。したがって、中心刃１１Ａが先にシールＳの中心位置を切り裂き、続いて放射刃１１ＢがシールＳの周囲縁に向けて切り裂くことになる。このとき、放射刃１１Ｂの途中に補助突起１１Ｃを設けることで、シールＳの周囲縁側をより確実に切断することができる。
【００２９】
図示のカッター体１０は、このカッター１１に加えて補助カッター１２も併用している（図３参照）。この補助カッター１２は、カッター１１と同様に帯板の長手一側縁に切り刃が形成された一対の帯板を組み合わせてカッター１１の間に放射状に配置するものである（図１参照）。この補助カッター１２においても、カッター１１の中心刃１１Ａより外側の位置に形成される中心刃１１Ａと該中心刃１１Ａから次第に低くなり飲料用カップＰの開口内周囲縁に至る放射刃１１Ｂとを備えている。さらに、カッター１１の補助突起１１Ｃと同様の補助突起１２Ｃを設けている。
【００３０】
カッター１１や補助カッター１２を組み合わせてカッター体１０を構成するには、まず、一対の帯板に形成されている上溝部１１Ｄと下溝部１１Ｅとを組み合わせてカッター１１を十字形状に組み合わせる。
【００３１】
さらに、カッター１１を十字形状に組み合わせた後、各補助カッター１２に形成した上溝部１２Ｄをカッター１１の交差部に組み合わせて補助カッター１２が十字形状になるように組み合わせる（図３参照）。そのため、各カッター１１の中心刃１１Ａにもそれぞれ挿通溝１１Ａａを形成している（図２参照）。
【００３２】
これらのカッター１１と補助カッター１２とを組み合わせることで、中心位置から八方向に延びた放射状の切り刃を有するカッター体１０が形成される（図１参照）。
【００３３】
また、カッター体１０の構成は図示例に限られるものではなく、カッター１１の枚数や形状等は任意に変更することができる。さらに、シールＳを切り裂く位置もシールＳの中央に限定されるものではなく、例えば飲料用カップＰの開口縁に沿ってシールＳを切り裂くように構成するなど任意な変更が可能である。
【００３４】
安全プレート２０は、カッター体１０の上部側に固定される板状の保護部材であり、飲料用カップＰの開口部を挿入する円形状の挿入口２１を備えている。さらに、この挿入口２１に合わせて飲料用カップＰの開口部を挿入し（図６（イ）参照）、そのままカッター体１０にシールＳを押し当てると、カッター体１０によりシールＳが切り裂かれ、飲料用カップＰに残っていた残留物が飲み残し投入口Ｔ１内に排出される。（図６（ロ）参照）。
【００３５】
図示の安全プレート２０はリング形状を成し、カッター体１０の最上端部の高さでカッター体１０を中央にして水平に囲むように配置している（図４参照）。このため、この安全プレート２０に囲まれたカッター体１０に直接触れにくくなる。したがって、利用者が安全プレート２０内に飲料用カップＰの開口部を投入してシールＳをカッター体１０で切断する際に、カッター体１０に触れずに済む。尚、カッター体１０を囲む安全プレート２０の形状や高さ、位置等は図示例に限られず、たとえばカッター体１０の形状や位置等により任意に変更することが可能である。
【００３６】
ホルダー３０は、既存のダストシュートＴの飲み残し投入口Ｔ１に着脱自在に装着できるように構成した収納部材である（図４、図５参照）。このホルダー３０は、飲み残し投入口Ｔ１の内側面に着脱自在に嵌合する嵌合凹部３１と、飲み残し投入口Ｔ１の開口縁上部に係合する係合片３２とを有している（図４参照）。そして、このホルダー３０にカッター体１０と安全プレート２０を設けると、既設の飲み残し投入口Ｔ１に簡単に設置することが可能になる（図５参照）。
【００３７】
図示例では、カッター１１に形成した固定片１１Ｆを嵌合凹部３１内に固定し、固定片１１Ｆの上端部に安全プレート２０を固定している。尚、ダストシュートＴとは、使用済みの飲料用カップＰやストローＱを分別廃棄するために、店内等に予め設置される設備である（図９参照）。
【００３８】
図６に示すカッター体１０は、ホルダー３０を使用せずダストシュートＴの飲み残し投入口Ｔ１に直接固定したものである。この実施例では、飲み残し投入口Ｔ１とカッター体１０とが一体化されている。図５及び図６のいずれのカッター体１０もシールＳを切り裂く手順は同じである（図６（イ）、（ロ）参照）。また、空になった飲料用カップＰやストローＱは、ダストシュートＴの所定位置に投入廃棄する。
【００３９】
尚、本発明において、カッター体１０、安全プレート２０、ホルダー３０の形状、サイズ、固定位置構成等は、本発明の要旨を変更しない範囲で自由に変更することができる。また、ダストシュートＴや飲み残し投入口Ｔ１も図示例に限られるものではなく、他の設備にカッター体１０及び安全プレート２０を備えることも可能である。
【符号の説明】
【００４０】
Ｐ  飲料用カップ
Ｑ  ストロー
Ｓ  シール
Ｔ  ダストシュート
Ｔ１  飲み残し投入口
１０  カッター体
１１  カッター
１１Ａ  中心刃
１１Ａａ  挿通溝
１１Ｂ  放射刃
１１Ｃ  補助突起
１１Ｄ  上溝部
１１Ｅ  下溝部
１１Ｆ  固定片
１２  補助カッター
１２Ａ  中心刃
１２Ｂ  放射刃
１２Ｃ  補助突起
１２Ｄ  上溝部
２０  安全プレート
２１  挿入口
３０  ホルダー
３１  嵌合凹部
３２  係合片
【要約】
【課題】極めて簡単な操作によってシールを切り裂くことができ、カップ内の残留物を同時に排出することが可能なカップシール用カッターを提供する。
【解決手段】切り刃が上方を向いたカッター体１０を設ける。飲料用カップＰの開口部を挿入する円形状の挿入口を備えた安全プレート２０を設ける。挿入口の内側にカッター体１０を配置する。カッター体１０の上部側に安全プレート２０を設置する。これらカッター体１０と安全プレート２０とを飲み残し投入口Ｔ１内に装着する。安全プレート２０内に挿入したシールＳをカッター体１０に押し当てる。シールＳが切り裂かれて残留物が飲み残し投入口Ｔ１に排出するように構成する。
【選択図】図６【図１】
0006664643.tif 000002
【図２】
0006664643.tif 000003
【図３】
0006664643.tif 000004
【図４】
0006664643.tif 000005
【図５】
0006664643.tif 000006
【図６】
0006664643.tif 000007
【図７】
0006664643.tif 000008
【図８】
0006664643.tif 000009
【図９】
0006664643.tif 000010